(57)【特許請求の範囲】
【請求項１】
搬送コンベア（３）上に穴あけ装置（５）と播種装置（４）とを連続して配置して、育苗ポットトレイ（１０）のポット（１０ａ）に充填した床土上に穴をあけて、その穴に播種するポット用播種機（１）において、該搬送コンベア（３）の上の、該穴あけ装置（５）の前工程側に、該穴あけ装置（５）の作動を制御する穴あけセンサー（３３）を配置し、該搬送コンベア（３）の上の、該播種装置（４）の前工程側に、該播種装置（４）の作動を制御する播種センサー（３６）を配置し、前記穴あけ装置（５）は、前記穴あけセンサー（３３）と、穴あけ支持フレーム（２２）と、該穴あけ支持フレーム（２２）に対して、搬送方向に位置調整可能に付設した摺動体（２５）と、該摺動体（２５）に上下方向位置調整可能に取り付けた穴あけシリンダ（２６）と、該穴あけシリンダ（２６）のピストンロッド（２６ａ）先端に取り付けた穴あけ棒（２７）により構成し、該穴あけ棒（２７）の前工程側に、側面視Ｌ字状に構成した位置決めプレート（３２）を一体的に固設し、該位置決めプレート（３２）により、前記育苗ポットトレイ（１０）が搬送されて、前記穴あけシリンダ（２６）を作動させたときにポットの中心に丁度穴あけ棒（２７）が入るように調整可能としたことを特徴とするポット用播種機。
【発明の詳細な説明】
【０００１】
【発明の属する技術分野】
本発明は、育苗ポットを碁盤目状に形成した育苗ポットトレイに床土を充填して各ポットに種子を落下させて播種を行うポット用播種機において、前記各ポットの床土表面に凹状の播種用穴を形成する穴あけ装置の技術に関する。
【０００２】
【従来の技術】
従来から育苗用播種プラント等において、育苗ポットを碁盤目状に形成した育苗ポットトレイをコンベアにより一枚ずつ順に搬送して、床土を充填して播種穴をあけて、各ポットに種子を落下させて播種を行い、覆土して灌水を行うようにした技術は公知となっている。
【０００３】
この播種を行うポット用播種機において、種子落下させて播種する前に穴を形成する穴あけ装置は、シリンダを上下方向に配置して、該シリンダのピストンロッド先端に育苗ポットトレイのポットと同数の穴あけ棒を並設して、育苗ポットトレイの搬送に合わせて昇降させて穴あけを行うようにしていた。例えば、特開平５−２８４８１３号の技術である。
【０００４】
【発明が解決しようとする課題】
この技術はポット用播種機の播種位置の前工程側に穴あけ装置を配置し、該穴あけ装置は、鎮圧具を上下方向及び育苗ポットトレイの進行方向に位置調整可能に配置して、育苗ポットトレイの搬送装置の駆動に合わせて昇降するようにしていたのである。
【０００５】
しかし、穴あけ位置と播種位置は進行方向に対して育苗ポットトレイのポットのピッチと数ピッチずれた位置に配置され、一つのセンサーでポットを検知して、ポットを検知すると穴あけ装置を駆動し、穴あけを終えたポットの穴に種子を落下させるようにしていたので、穴あけ装置は一つの育苗ポットトレイの最終ポットに播種したときも駆動するようにしていた。このとき、次の育苗ポットトレイが連続して搬送されてきた場合、育苗ポットトレイ前端の縁部に穴あけ装置が当たり、育苗ポットトレイを傷めたり、育苗ポットトレイに振動を与えて搬送位置がずれたりすることがあった。そこで本発明は、穴あけ装置と播種装置の駆動を別々のセンサーで検知して、駆動するようにしたものである。
【０００６】
【課題を解決するための手段】
上記の課題を解決すべく、本発明は次のような手段を用いる。
【０００７】
請求項１においては、搬送コンベア（３）上に穴あけ装置（５）と播種装置（４）とを連続して配置して、育苗ポットトレイ（１０）のポット（１０ａ）に充填した床土上に穴をあけて、その穴に播種するポット用播種機（１）において、該搬送コンベア（３）の上の、該穴あけ装置（５）の前工程側に、該穴あけ装置（５）の作動を制御する穴あけセンサー（３３）を配置し、該搬送コンベア（３）の上の、該播種装置（４）の前工程側に、該播種装置（４）の作動を制御する播種センサー（３６）を配置し、前記穴あけ装置（５）は、前記穴あけセンサー（３３）と、穴あけ支持フレーム（２２）と、該穴あけ支持フレーム（２２）に対して、搬送方向に位置調整可能に付設した摺動体（２５）と、該摺動体（２５）に上下方向位置調整可能に取り付けた穴あけシリンダ（２６）と、該穴あけシリンダ（２６）のピストンロッド（２６ａ）先端に取り付けた穴あけ棒（２７）により構成し、該穴あけ棒（２７）の前工程側に、側面視Ｌ字状に構成した位置決めプレート（３２）を一体的に固設し、該位置決めプレート（３２）により、前記育苗ポットトレイ（１０）が搬送されて、前記穴あけシリンダ（２６）を作動させたときにポットの中心に丁度穴あけ棒（２７）が入るように調整可能としたものである。
【０００８】
【発明の実施の形態】
以下に本発明の実施形態について、図面を用いて詳細に説明する。図１は本発明のポット用播種機の側面図、図２は同じく斜視図、図３は播種装置の側面図、図４は穴あけ装置の側面図、図５は同じく斜視図、図６は制御ブロック図である。
【０００９】
本発明の穴あけ装置を装備したポット用播種機１について、図１、図２より全体構成から説明する。ポット用播種機１は支柱２ａ・２ａ上に搬送フレーム２ｂを横架した搬送架台２上に搬送コンベア３が配置され、該搬送コンベア３は、搬送架台２の一端（本実施例では右側）に駆動ローラ１１を配置し、他端（左側）にテンションローラ（従動ローラ）１２を配置し、該駆動ローラ１１とテンションローラ１２の間に搬送ベルト１３を巻回し、該駆動ローラ１１を搬送架台２の一端に設けた搬送モータ１４により駆動できるようにしている。該搬送モータ１４は搬送架台２上に設けた制御ボックス６内のコントローラ１６と接続されて駆動制御される。
【００１０】
そして、搬送架台２上に播種装置４が配置され、該播種装置４の前工程側に本発明の穴あけ装置５が配置され、該播種装置４の後工程側にエア制御部７が配置され、その後工程側に制御ボックス６が配置されている。前記エア制御部７は、種子を吸引するための吸引圧と、エアシリンダを作動させる圧縮空気の空気圧を設定して、電磁バルブを制御して吐出または吸引できるようにしている。該電磁バルブはコントローラ１６と接続されている。
【００１１】
前記播種装置４は、図３に示すように、ケース４０に種子を溜めるホッパー４１を平行リンクを介して揺動自在に支持し、該ホッパー４１の上方に吸着ノズル４２を配置し、該ホッパー４１は揺動シリンダ４３と連結されて、該揺動シリンダ４３を伸縮させることによりホッパー４１を揺動させて、吸着ノズル４２の下方にホッパー４１を位置させたときに種子を吸着させ、ホッパー４１を揺動して吸着ノズル下方にホッパー４１端部に構成した落下口４１ａを位置させたときに、吸引を解除して、吸着ノズル４２の下方に配置したガイドホース４４内に種子を落下させて、該ガイドホース４４より育苗ポットトレイ１０のポット１０ａ上に落下させるようにしている。
【００１２】
前記揺動シリンダ４３は、配管を介してエア制御部７に配置した、電磁バルブ１７と接続され、また、前記吸着ノズル４２には、図示しない吸引ホースを介してエア制御部７に配置した電磁バルブ１８と接続され、該電磁バルブ１７・１８は図６に示すように、コントローラ１６と接続されて制御できるようにしている。
【００１３】
本発明の穴あけ装置５は図４、図５に示すように、搬送架台２の前後両側上に立設した、支持フレーム１５・１５間に、支持軸２１が架設され、該支持軸２１の前後中央部に、穴あけ支持フレーム２２が固設され、該穴あけ支持フレーム２２の前後両側より、下方に支持ステー２２ａ・２２ｂが垂設され、該支持ステー２２ａ・２２ｂ間に、ガイドシャフト２３・２３とネジ杆２４が、前後方向に平行に横架され、該ガイドシャフト２３・２３上に、摺動体２５の上部に設けた支持部２５ｂ・２５ｃが摺動可能に支持され、該支持部２５ｂは、ガイドシャフト２３に対しては摺動自在に貫通し、ネジ杆２４に対しては螺装されている。
【００１４】
該ネジ杆２４の一端にはハンドル２０が設けられ、該ハンドル２０を回動することにより、摺動体２５を前後方向に移動することができ、後述する穴あけ棒２７を前後位置調整可能としているのである。なお、摺動体２５の支持部２５ｂの前面に、固定ボルト３０がガイドシャフト２３に向かって螺装されて、該固定ボルト３０を締めつけることにより摺動体２５を固定できるようにしている。
【００１５】
前記摺動体２５の前面には、上下方向に長孔２５ａが開口されている。一方、摺動体２５の側面には穴あけシリンダ２６が上下方向に配置されて、該穴あけシリンダ２６側面に取付プレート２９が固設され、該取付プレート２９の一端が前記長孔２５ａ側面に延設されて、固定ボルト３１によって長孔２５ａの任意位置で固定できるようにして高さ調節できるようにしている。
なお、摺動体２５の固定位置が容易にわかるように、穴あけ支持フレーム２２の前面及び摺動体２５の前面の固定ボルト３０・３１近傍位置にはそれぞれ目盛が設けられている。また、穴あけシリンダ２６は配管を介してエア制御部７に配置した電磁バルブ１９と接続され、該電磁バルブ１９はコントローラ１６と接続され、制御できるようにしている。
【００１６】
そして、前記穴あけシリンダ２６のピストンロッド２６ａ先端には、取付プレート２８を介して穴あけ棒２７・２７・・・が、育苗ポットトレイ１０の幅方向のポット１０ａ数と同数平行に垂設されている。該穴あけ棒２７は円柱状で下部が、円錐状に構成され、育苗ポットトレイ１０の種類やあける穴の大きさに合わせて、大きさの異なる穴あけ棒２７・２７・・・が用意され、必要に応じて取付プレート２８ごと交換するものである。
【００１７】
そして、前記取付プレート２８の両側から前工程側に側面視Ｌ字状に構成した位置決めプレート３２が固設されている。該位置決めプレート３２は育苗ポットトレイ１０が搬送されて、穴あけシリンダ２６を作動させたときにポットの中心に丁度穴あけ棒２７が入るように調整するためのものであり、育苗ポットトレイ１０の縁部１０ｂの前端を当接させた状態で、一列目のポット１０ａの前端に穴あけセンサー３３を位置させることにより、位置決めができるようにしている。つまり、位置決めプレート３２を育苗ポットトレイ１０の整数倍ピッチにし、搬送コンベア３を駆動させたときに穴あけ棒２７が一列目のポット上方に位置するようにしているのである。
【００１８】
該穴あけセンサー３３は前記搬送フレーム２ｂ上に支持レール３４を搬送方向に固定し、該支持レール３４に穴あけセンサー３３を搬送方向に位置調整可能に固定できるようにしている。また、播種装置４の種子ガイドホース４４下端の前部位置に播種センサー３６（図３）が配置されて、ポット１０ａを検知すると吸着を解除して種子を落下させるようにしている。なお、穴あけセンサー３３及び播種センサー３６は光電センサー等より構成しており、それぞれコントローラ１６と接続されている。
【００１９】
このような構成において、穴あけ装置５の位置調整を説明する。まず、種子落下口４４ａ（図３）の中心を、育苗ポットトレイ１０のポット１０ａの中心と一致させる。そして、穴あけ棒２７を下降させて穴あけ棒２７とポットの中心が一致するようにハンドル２０を回転する。こうして播種位置と穴あけ位置が育苗ポットトレイ１０に合わせられる。次に、育苗ポットトレイ１０を引き出して、穴あけ棒２７を下降させた状態で育苗ポットトレイ１０の縁部１０ｂ搬送方向前端を位置決めプレート３２に当接させ、穴あけセンサー３３を一列目のポット１０ａに位置するように調節する。こうして、搬送コンベア３を作動させると順に穴あけと播種が行われるのである。
【００２０】
即ち、図６の如くコントローラ１６には穴あけセンサー３３と播種センサー３６は搬送モータ１４と揺動シリンダ４３を作動させる電磁弁１７と、該吸着ノズル４２を作動させる電磁弁１８と、穴あけシリンダ２６を作動させる電磁弁１９が接続されて、次のように制御される。
【００２１】
育苗ポットトレイ１０が搬送モータ１４の駆動によって、搬送ベルト１３が駆動されて搬送されてきて、穴あけセンサー３３が一列目のポット１０ａを検知すると、所定のピッチ搬送して停止し、穴あけ棒２７の下方に１列目ポット１０ａが位置する。そして、穴あけシリンダ２６が伸長されて穴あけ棒２７が下降し床土上に穴があけられる。この穴あけ後に穴あけシリンダ２６が縮小されて、搬送コンベア３が一ピッチ駆動され、穴あけシリンダ２６が再び伸長されて穴あけが行われる。穴あけセンサー３３がポット１０ａを検知しないと所定ピッチ搬送して穴あけ後に穴あけシリンダ２６を停止させる。
【００２２】
そして、穴あけ装置５の駆動と同時に播種装置４も駆動され、吸着ノズル４２はホッパー４１より一粒の種子を吸着し、播種センサー３６がポット１０ａを検知して、後工程側の種子落下口４４ａ下方にポット１０ａが位置すると、吸着を解除して種子を落下させ、穴あけ装置５で形成した穴内に種子を落下させるのである。そして、播種センサー３６がポット１０ａを検知しないと播種装置４（電磁弁１７・１８）を停止させる。
【００２３】
【発明の効果】
以上のように構成したので、本発明は次のような効果を奏するものである。
請求項１に記載のごとく、搬送コンベア（３）上に穴あけ装置（５）と播種装置（４）とを連続して配置して、育苗ポットトレイ（１０）のポット（１０ａ）に充填した床土上に穴をあけて、その穴に播種するポット用播種機（１）において、該搬送コンベア（３）の上の、該穴あけ装置（５）の前工程側に、該穴あけ装置（５）の作動を制御する穴あけセンサー（３３）を配置し、該搬送コンベア（３）の上の、該播種装置（４）の前工程側に、該播種装置（４）の作動を制御する播種センサー（３６）を配置したので、穴あけ装置と播種装置は、それぞれ別にポットを検知して別々に作動することができるようになり、穴あけだけの作業や播種だけの作業をできるだけでなく、育苗ポットトレイを連続して供給して播種作業を行ったときに、育苗ポットトレイの後端と前端が接当している境界部分に穴あけ装置の穴あけ棒が当接して育苗ポットトレイを傷つけたり、振動を与えたりすることがなくなったのである。
【００２４】
また、前記穴あけ装置（５）は、前記穴あけセンサー（３３）と、穴あけ支持フレーム（２２）と、該穴あけ支持フレーム（２２）に対して、搬送方向に位置調整可能に付設した摺動体（２５）と、該摺動体（２５）に上下方向位置調整可能に取り付けた穴あけシリンダ（２６）と、該穴あけシリンダ（２６）のピストンロッド（２６ａ）先端に取り付けた穴あけ棒（２７）により構成し、該穴あけ棒（２７）の前工程側に、側面視Ｌ字状に構成した位置決めプレート（３２）を一体的に固設し、該位置決めプレート（３２）により、前記育苗ポットトレイ（１０）が搬送されて、前記穴あけシリンダ（２６）を作動させたときにポットの中心に丁度穴あけ棒（２７）が入るように調整可能としたので、穴開け装置を播種装置にできるだけ近づけて配置することが可能となり、穴開け装置の位置調整が容易にできるようになり、穴あけ装置と搬送コンベアの停止位置の位置決めも簡単にできるようになる。
【図面の簡単な説明】
【図１】  本発明のポット用播種機の側面図である。
【図２】  同じく斜視図である。
【図３】  播種装置の側面図である。
【図４】  穴あけ装置の側面図である。
【図５】  同じく斜視図である。
【図６】  制御ブロック図である。
【符号の説明】
１    ポット用播種機
３    搬送コンベア
４    播種装置
５    穴あけ装置
２２  穴あけ支持フレーム
２６  穴あけシリンダ
２７  穴あけ棒
３２  位置決めプレート
３３  穴あけセンサー
３６  播種センサー
【図１】
0004938935.tif 000002
【図２】
0004938935.tif 000003
【図３】
0004938935.tif 000004
【図４】
0004938935.tif 000005
【図５】
0004938935.tif 000006
【図６】
0004938935.tif 000007